(57)【要約】【課題】  モニタ装置に表示した被写体像を確認しながら適正露出を容易かつ迅速に決定することが可能な露出装置を提供する。【解決手段】  レンズ系で結像された被写体像を撮像素子で撮像してモニタ装置１１に表示する際に、被写体の明るさを所要のステップでエリア分けしエリア毎に色分けして被写体像ＯＢを表示するとともに、色分けした明るさの露出基準を示す参照スケールＳＳを表示する。参照スケールＳＳ上で被写体像と同じ色のエリアにポインタＰＴを移動させることで、被写体像を適正に露出補正を行うことができる。【選択図】  図５
2006115249.tif 000002
【特許請求の範囲】
【請求項１】
被写体を結像するためのレンズ系と、前記レンズ系で結像された被写体像を撮像する撮像素子と、前記被写体の明るさを測定する測光手段と、前記撮像素子で撮像した被写体像を表示する表示装置とを備え、前記表示装置は、前記被写体の明るさを所要のステップでエリア分けしエリア毎に色分けして前記被写体像を表示するとともに、前記色分けした明るさの露出基準を示す参照スケールを表示することが可能であることを特徴とする露出装置。
【請求項２】
前記表示装置は前記被写体像及び参照スケールをエリア毎に異なる色彩でカラー表示することを特徴とする請求項１に記載の露出装置。
【請求項３】
前記表示装置は前記参照スケールの任意のエリアを指示するポインタを表示することが可能であり、当該ポインタで指示したエリアを適正露出に補正する露出補正手段を備えることを特徴とする請求項１又は２に記載の露出装置。
【請求項４】
前記露出補正手段は露出補正用ダイヤルを備え、当該露出補正用ダイヤルにより前記ポインタによる指示を行うように構成したことを特徴とする請求項３に記載の露出装置。
【請求項５】
前記表示装置は、前記露出補正手段で補正された露出に基づいて前記被写体像をエリア毎に色分けして表示することが可能であることを特徴とする請求項１ないし４のいずれかに記載の露出装置。
【請求項６】
カメラの露出装置に適用され、前記表示装置は前記撮像素子で撮像した被写体像を表示するモニタ装置であることを特徴とする請求項１ないし５のいずれかに記載の露出装置。
【発明の詳細な説明】
【技術分野】
【０００１】
本発明はカメラに内蔵し、あるいは独立して構成することが可能な露出装置に関し、特に撮像する被写体像を確認しながら適正露出の設定を可能にした露出装置に関する。
【背景技術】
【０００２】
デジタルカメラや露出計では、適正露出を決定するために撮像素子を用いて撮像した被写体像をモニタとしての表示装置（以下、モニタ装置と称する）に表示させ、このモニタ装置に表示された被写体像を見ながら現在設定されている露出が適正露出であるか否かを判断することが行われる。しかしながら、モニタ装置に表示された被写体像を見るだけで露出が適正であるか否かを判断するにはある程度の熟練が必要であり、撮影者が適正露出を的確に判断することは難しい。このようなことから、撮像した被写体像が適正露出であるか否かを表示する装置が提案されている。特許文献１では撮像した被写体像をモニタ装置に表示する際に、入力された絞り値、シャッタ速度等の撮像条件のデータに基づいて、各データに対応して被写体像の明暗及び色を設定する技術が提案されている。この特許文献１の技術によれば、入力された撮像条件に応じてモニタ装置に表示される被写体像の各部は異なる明るさあるいは異なる色で表示されることになり、この明るさや色から被写体像の適正露出を判断することができるというものである。また、特許文献１では、適正露出を逸脱した部分にはマーキングを表示することも提案されている。
【特許文献１】特許第２６３２６４５号公報
【発明の開示】
【発明が解決しようとする課題】
【０００３】
特許文献１の技術は、モニタ装置に表示される明暗の程度や色彩が意味していることを理解していないと、モニタ装置に表示された被写体像の各部の明暗や色を見ても、どの部分が適正露出であるかを判断することが難しく、適正露出に設定することが難しい。この点、特許文献１では露出値を被写体像に重畳して表示する形態が開示されているが、この表示形態では特許文献１が対象とするような大型のモニタ装置では露出値を視認することは可能であるが、デジタルカメラのモニタ装置のような小型のモニタ装置では露出値を視認することは困難であり、結局どの程度露出を補正したらよいのかが判り難い。特に、引用文献１では、モニタ装置に表示される被写体像は実際に撮影する際の色彩で表示されることがないので、現在の状態から撮像条件を変化させたときには実際にどのように撮影されるのかをモニタ装置で確認することができない。また、撮像条件を変化させたときには再び撮像素子で撮像を行って適正露出であるか否かを判断する必要があり、操作が煩雑になるとともに時間がかかるという問題も生じる。
【０００４】
本発明の目的は、実際に撮像する被写体像を確認しながら適正露出を容易かつ迅速に決定することが可能な露出装置を提供することにある。
【課題を解決するための手段】
【０００５】
本発明は、被写体を結像するためのレンズ系と、レンズ系で結像された被写体像を撮像する撮像素子と、被写体の明るさを測定する測光手段と、撮像素子で撮像した被写体像を表示する表示装置とを備え、この表示装置は被写体の明るさを所要のステップでエリア分けしエリア毎に色分けして被写体像を表示するとともに、色分けした明るさの露出基準を示す参照スケールを表示することが可能であることを特徴とする。例えば、表示装置は被写体像及び参照スケールをエリア毎に異なる色彩でカラー表示する。
【０００６】
また、本発明において、表示装置は参照スケールの任意のエリアを指示するポインタを表示することが可能であり、当該ポインタで指示したエリアを適正露出に補正する露出補正手段を備える構成とする。この露出補正手段は露出補正用ダイヤルを備え、当該露出補正用ダイヤルによりポインタによる指示を行うように構成することが好ましい。
【発明の効果】
【０００７】
本発明によれば、表示装置に被写体像を表示する際に、被写体の明るさを所要のステップでエリア分けしエリア毎に色分けして表示するとともに、色分けした明るさの露出基準を示す参照スケールを同時に表示するので、参照スケールを参照して被写体像の各部の色を認識するだけで、被写体の撮像対象部における露出のオーバやアンダー等の露出の適否を一目で判別することができ、露出を適正に補正することが可能になる。また、参照スケールのエリアを指示するためのポインタを表示させ、このポインタを利用して参照スケール上で被写体の撮像対象部と同じ色のエリアにポインタを移動させるだけで、当該撮像対象部を適正露出にする露出補正を行うことができる。したがって、本発明によれば露出に詳しくない初心者でも容易かつ迅速に適正な露出補正が実現できる。
【実施例１】
【０００８】
次に、本発明の実施例１を図面を参照して説明する。図１は本発明をデジタルカメラの露出装置として構成した実施例１のブロック構成図である。撮像光学系（レンズ系）１で結像した被写体像をＣＣＤやＣＭＯＳ等の撮像素子２で撮像し、画像信号を得る。画像信号はＣＤＳ（相関２重サンプリング）回路３においてサンプリングされ、Ａ／Ｄ変換器４においてデジタルの画像信号に変換され、マイコン１００に入力される。マイコン１００では入力された画像信号に対してカラープロセス処理やガンマ補正等の所定の信号処理が施され、その後、例えば輝度信号と色信号に対応する画像データが生成される。生成された画像データはＤＲＡＭ等のメモリ５に書き込まれた後、ＶＲＡＭ（ビデオメモリ）６に書き込まれる。ＶＲＡＭ６に書き込まれた画像データは、Ｄ／Ａ変換器７においてアナログの画像信号に変換され、その後ビデオエンコーダ８においてビデオ信号に変換される。ビデオエンコーダ８において変換されたビデオ信号は、ミックスアンドキー等の合成器９に入力され、ここでＯＳＤ（オンスクリーンディスプレイ）回路１０からのオンスクリーン信号と合成される。オンスクリーン信号と合成されたビデオ信号はＬＣＤ等からなるモニタ装置１１に出力され、動画または静止画として表示される。前記メモリ５に書き込まれた画像データはマイコン（以下、ＣＰＵと称する）１００によりインターフェース回路１４を介してＣＦカード等の記録媒体１５に記録可能である。
【０００９】
前記撮像素子２はここではＣＣＤで構成されており、ＣＣＤドライバ１３により駆動制御される。また、このＣＣＤドライバ１３は前記ＣＰＵ１００により制御される。前記ＣＰＵ１００には、各種のスイッチが接続され、これらのスイッチのオン・オフに基づてい所定の制御動作を実行する。例えば、カメラをスリープ状態からオン状態にするためのメインスイッチ２１が接続される。また、カメラを記録モード、再生モード、編集モード、さらに本発明にかかる露出補正モード等のモード設定を行うためのモード切替ダイヤル２２が接続される。さらに、撮影動作に直接関係するスイッチとして、カメラに設けられている図外のレリーズボタンによって操作されるレリーズスイッチ２３と、測光及びオートフォーカス動作を行うためのレリーズボタンの半押により操作される測光スイッチ２４が接続される。
【００１０】
これに加えて、前記ＣＰＵ１００には、撮像素子で被写体を撮像する際に蓄積した電荷に基づいて被写体の明るさを測光した測光値情報が前記Ａ／Ｄ変換器４から入力される。また、シャッタ装置２５に設定されるシャッタ速度情報と、絞り装置２６に設定される絞り値情報と、感度設定ダイヤル２７に設定されるＩＳＯ感度情報と、露出補正ダイヤル２８に設定される露出補正値情報がそれぞれ入力される。特に、本実施例では、前記露出補正ダイヤル２８は、前記モード切替ダイヤル２２により露出補正モードに設定したときには、モニタ装置１１に表示する被写体像の表示形態を変更することが可能である。また、露出補正ダイヤル２８は、後述するようにモニタ画面を見ながらポインタを操作し、かつポインタにより指示した露出補正値を決定することができるようになっている。
【００１１】
また、前記ＣＰＵ１００は、入力された測光値情報に基づいて被写体像の各部の輝度情報を抽出し、輝度情報の正規化を行ない、正規化データをファイルし、階調に区分する。そして、各階調に異なる色を割り当て、得られた画像データを露出補正画像データとして前記ＶＲＡＭ６に出力する。ＶＲＡＭ６は、前記露出補正ダイヤルにより露出補正モードに設定されたときには、ＣＰＵ１００から入力される露出補正画像データに基づいて着色した被写体像を作成し、これを前記モニタ装置１１に表示することが可能とされている。
【００１２】
さらに、前記ＣＰＵ１００は入力されるシャッタ速度情報、絞り値情報、ＩＳＯ感度情報、露出補正値情報に基づいてＯＳＤ回路１０を制御し、このＯＳＤ回路１０において後述する参照スケールを作成させる。この作成した参照スケールはオンスクリーン信号として前記合成器９において前記ＶＲＡＭ６で作成した被写体像に合成し、モニタ装置１１のモニタ画面の一部に参照スケールを表示する。ここでは、図２に示すように、被写体像を表示するモニタ装置１１のモニタ画面の右辺に沿って上下に帯状の参照スケールＳＳを形成する。この参照スケールＳＳは、適正露出値「０」を上下の中央に位置し、この適正露出値よりも上側を露出オーバ「＋」、下側を露出アンダー「−」となるように所要のＥｖ値（明るさ値）ステップでエリアを区画し、各エリアに異なる色を割り当ててスケールを形成したものである。例えば、参照スケールＳＳに割り当てる色として、色の波長に対応して露出アンダーの下端部を青色にし、これから上方に向けて緑色、黄色と変化させ、露出オーバの上端部を赤色となるようにスケールを形成する。なお、同図では実際に表示される色の代わりに斜線の密度で色の違いを表示しており、ここでは緑色を適正露出に設定したものとしている。また、この参照スケールＳＳには、後述するように参照スケールＳＳの各エリアを指示するポインタＰＴが表示可能である。
【００１３】
以上の構成によれば、図３にメインフローのフローチャートを示すように、カメラのメインスイッチ２１がオンされると（Ｓ１０１）、モニタリングが行われる（Ｓ１０２）。このモニタリングは、ＣＣＤ２で撮像しようとする被写体像をモニタ画像としてモニタ装置１１において表示する処理である。このモニタ画像はスルー画像であり、通常のカラー画像である。この状態においてレリーズボタンが押下されて測光スイッチＳＷＲがオンされると（Ｓ１０３）、画像取込処理が行われる（Ｓ１０４）。この画像取込処理は、図１において説明した通りであり、取り込んだ被写体像の画像データをファイルし、同時に取り込んだ被写体像をモニタ装置１１に表示する（図５（ａ））。次いで、モード切替スイッチ２２によって露出補正モードに設定されているか否かを判定し（Ｓ１０５）、露出補正モードの場合には、露出補正処理を実行する（Ｓ１０６）。
【００１４】
この露出補正処理Ｓ１０６は、図４にサブルーチンのフローチャートを示すように、ステップＳ１０４において取り込んだ被写体像の各部の輝度情報を抽出し（Ｓ２０１）、抽出した輝度情報について正規化を行ない（Ｓ２０２）、正規化データをファイルする（Ｓ２０３）。次いで、予め設定されたＥｖ値ステップで階調に区分し、区分した各階調に異なる色を割り当てる（Ｓ２０４）。
【００１５】
また、ＣＰＵ１００はカメラに設定されている絞り値、シャッター速度、ＩＳＯ値等に基づいて適正露出を中心として露出オーバとアンダーを表示すべく、ＯＳＤ回路１０において前述した参照スケールＳＳを作成している（Ｓ２０５）。そして、ステップＳ２０４で着色した被写体像とステップＳ２０５で作成した参照スケールＳＳとを合成器９において合成する。これにより、モニタ装置１１には、各部の輝度に対応してそれぞれ異なる色に着色された被写体像ＯＢと、この被写体像の右辺に沿って露出値に対応して異なる色に着色された参照スケールＳＳが表示される（Ｓ２０６）（図５（ｂ））。したがって、このモニタ装置１１における表示形態では、撮像者は被写体像ＯＢの各部の色を参照スケールＳＳの色と対比させ、参照スケールＳＳのいずれのエリアの色と一致するかを見るだけで被写体像における各部の露出が適正であるか、露出オーバあるいはアンダーであるかが容易に判断できる。また、適正露出からのエリアの位置により露出オーバあるいはアンダーの値も容易に判断できる。
【００１６】
また、ＣＰＵ１００は前記ＯＳＤ回路１０によりモニタ装置１１に表示した参照スケールＳＳ上にポインタＰＴを表示させる（図５（ｃ））。ここではポインタＰＴは露出補正値「０」を示しており、露出補正が行われていない状態である。このポインタＰＴは露出補正ダイヤル２８に連動して参照スケールＳＳ上で移動させることが可能であるので、撮影者が露出補正ダイヤル２８を操作し、ポインタＰＴを参照スケールＳＳ上の被写体像の適正露出を得たい部分の色と同じ色のエリアに移動させ、この状態で露出補正ダイヤル２８を押下して決定を行う。このようなポインタＰＴの操作があったことをＣＰＵ１００が検知すると（Ｓ２０７）、ＣＰＵ１００は参照スケールＳＳ上でのポインタＰＴの位置、すなわち露出補正値を認識し、被写体像について各部の露出を演算し直し、これにより、モニタ装置１１に表示される被写体像ＯＢの各部の色を補正する（Ｓ２０８）（図５（ｄ））。ここではポインタＰＴが補正値「＋２」のエリアに位置されて露出をオーバにした状態である。ポインタＰＴが操作されない場合には露出補正は行わない。しかる後、メインフローに戻る。
【００１７】
再び、図３のメインフローにおいて、露出補正処理Ｓ１０６が行われた後は、図には示されていないが、露出補正ダイヤル２８を通常モードに戻すと、モニタ装置１１に表示される被写体像は図５（ａ）に示したような通常カラーでの表示に戻るが、この際には露出が補正された明るさの通常カラーの表示となる。また、これと同時にモニタ装置１１における参照スケールＳＳの表示も解消される。なお、露出補正モードの状態で所定時間の間何らの操作が行われないときには自動的に通常モードに戻すように設定することも可能である。
【００１８】
さらに、露出補正モードのまま、あるいは通常モードに戻されたいずれの場合でも、測光スイッチＳＷＲがオフされたときには、モニタリング処理Ｓ１０２に戻される（Ｓ１０７）。また、露出補正モードのとき、あるいは露出補正モードから通常モードに戻されたときにレリーズボタンの操作によりレリーズスイッチＳＷＳがオンされたときには（Ｓ１０８）、モニタ装置１１に表示されている被写体像が取り込まれて撮像処理が行われる（Ｓ１０９）。この撮像処理については図１に説明した通りであるので詳細な説明は省略する。
【００１９】
このように、本実施例のカメラでは、露出補正モードに設定すれば、参照スケールを参照して被写体像の各部の色を認識するだけで、被写体の撮像対象部における露出のオーバやアンダー等の露出の適否を一目で判別することができ、露出を適正に補正することが可能になる。また、ポインタを利用して参照スケール上で被写体の撮像対象部と同じ色にポインタを移動させるだけで、当該撮像対象部を適正露出にする露出補正を行うことができる。したがって、露出に詳しくない初心者でも容易かつ迅速に適正な露出補正が実現できる。
【００２０】
ここで、ポインタをパソコンのマウスポインタのように、直接被写体像の各部に移動位置させる構成も考えられるが、カメラのモニタ装置にスルー画像を表示している状態では被写体が移動することが多いためポインタを設定することが困難であり、またカメラにマウス機能を持たせることは構造上も極めて困難である。この点、本実施例ではポインタは参照スケール上で直線移動させるのみでよいので、露出補正ダイヤルの回動操作によって容易に露出補正指示を実現することが可能になる。
【００２１】
なお、前記実施例では本発明をカメラに適用した例を示しているので露出補正モードのときにはモニタ装置に表示される被写体像はスルー画像であるとしたが、本発明を独立した露出計として構成するような場合には、測光スイッチがオンされたときの静止画を表示するようにしてもよい。あるいは、いずれかを選択するように構成してもよい。
【００２２】
また、前記実施例では露出補正モード時のモニタ装置での被写体像及び参照スケールを有彩色で着色した例を示したが、無彩色、すなわち白、灰色、黒で表示するようにしてもよい。
【図面の簡単な説明】
【００２３】
【図１】本発明をカメラに適用した実施例のブロック構成図である。
【図２】モニタ装置に参照スケールを表示した状態のモニタ画面である。
【図３】本発明のメインフローを示すフローチャートである。
【図４】本発明の露出補正処理を示すフローチャートである。
【図５】モニタ装置上での露出補正を説明するための図である。
【符号の説明】
【００２４】
１  撮像光学系
２  ＣＣＤ（撮像素子）
１１  モニタ装置
２２  モード切替スイッチ
２３  測光スイッチ
２４  レリーズスイッチ
２５  シャッター装置
２６  絞り装置
２７  ＩＳＯ設定スイッチ
２８  露出補正ダイヤル
ＳＳ  参照スケール
ＰＴ  ポインタ
ＯＢ  被写体像
【図１】
2006115249.tif 000003
【図２】
2006115249.tif 000004
【図３】
2006115249.tif 000005
【図４】
2006115249.tif 000006
【図５】
2006115249.tif 000007